(57)【要約】      （修正有）【課題】特に構成がシンプルで使用上利便性が高い、ネジ用エキストラクターを提供する。【解決手段】ネジ用エキストラクターは、ネジロッド１１と、該ネジロッドの外周面に形成されるネジ山１２と、該ネジロッドの一端に形成される少なくとも１つの爪刃１３と、該ネジロッドの他端に形成される駆動部１４とを備える取り出し装置１０を有し、この取り出し装置を用いて、折れたボルトを物の穴から取り外すことができ、使用時、爪刃を、折れたボルトの端面に当接しながら回転させると、爪刃が折れたボルトに差し込まれることから、取り出し装置をさらに回転させると、折れたボルトを簡単に物のねじ穴から取り出すことができる。【選択図】図１
0003214658.tif 000002
【実用新案登録請求の範囲】
【請求項１】
柱状を呈するネジロッドと、該ネジロッドの外周面に形成されるネジ山と、該ネジロッドの一端に形成される少なくとも１つの爪刃と、該ネジロッドの他端に形成される駆動部とを有することを特徴とするネジ用エキストラクター。
【請求項２】
前記ネジロッドに、３つの爪刃が等間隔で環状に配列されることを特徴とする請求項１に記載のネジ用エキストラクター。
【請求項３】
前記駆動部が非円形の凹部であることを特徴とする請求項２に記載のネジ用エキストラクター。
【請求項４】
前記駆動部が六角形の凹部であることを特徴とする請求項３に記載のネジ用エキストラクター。
【請求項５】
前記駆動部が非円形の凹部であることを特徴とする請求項１に記載のネジ用エキストラクター。
【請求項６】
前記駆動部に対応する、駆動頭部及び連結部を備える連接棒を有することを特徴とする請求項１乃至５に記載のネジ用エキストラクター。
【考案の詳細な説明】
【技術分野】
【０００１】
本考案は、特に構成がシンプルで使用上に利便性が高いネジ用エキストラクターに関するものである。
【背景技術】
【０００２】
既存のボルトは、ネジ部を備える連接または締付け用の結合部材であり、簡単に取り付けたり取り外したりすることができると共に、捻じ込み操作により締め付ける程度を調整できることから、機械の結合や、建築の組み立てに使用されている。また、ボルトを締付ける過程において、捻じ込みすぎると、ボルトが折れる虞があり、折れてしまうと、ボルトまたはそのネジ部が物体の穴の中に残ってしまうことから、折れたボルトを取り出すことができないという問題があった。
【０００３】
前記既存のボルトの残骸を取り除く方法としては、以下の３つがある。
方法一：鋭い棒を用いて折れたボルトに当接させながら叩き、折れたボルトを取り出す。しかし、この方法は、ボルトが穴の浅い所に残った場合にしか利用できないと共に、取り除き作業にかなりの時間及び労力を必要とし、穴のネジ山にも傷を付けてしまうという問題があった。
方法二：折れたボルトをアルゴン溶接などの溶接手段で他の棒体に溶接して、棒体と共に取り出す。しかし、この方法は、方法一と同様にボルトが穴の浅い所に残った場合にしか利用できなく、また、溶接作業が難しく、作業コストが高いという問題があった。
方法三：折れたボルトを抜き出し装置を利用して折れたボルトを取り出す。
【０００４】
既存の折れたボルトの取り出し装置は、例えば、台湾特許公告第１６３１６４号及び、台湾実用新案第Ｍ２９０４５２号に開示されている。図７に示すように、既存の取り出し装置９０は、細長状の棒体を有し、該棒体の一端に、円錐状かつネジ山を有する締め頭部９１が設けられると共に、他端に六角形の連結部が凹設され、該連結部に補助工具が挿設され、補助工具を回して取出し装置９０を駆動すると、折れたボルトを取り出すことができる。例えば、図７に示すように、そのボルト６０が折れて物体５０のねじ穴５１内に残った場合は、まずドリル８０を用いて、折れたボルト６０の端面の中心に穴６１を開け、取り出し装置９０の締め頭部９１をボルト６０の穴６１に捻じ込み、この時、締め頭部９１にあるネジ山は、ボルト６０のネジ山と異なる方向であるため、取り出し装置９０を締め頭部９１を介して穴６１に捻じ込むと、ボルト６０が同期的に回転するので、物５０のねじ穴５１から取り出すことができる。
【先行技術文献】
【特許文献】
【０００５】
【特許文献１】台湾特許公告第１６３１６４号
【特許文献２】台湾実用新案第Ｍ２９０４５２号
【考案の概要】
【考案が解決しようとする課題】
【０００６】
しかしながら、既存の取り出し装置を用いれば、折れたボルトを物のねじ穴から取り出すことはできるが、取り出し装置を使用する前に、ボルトの折れた端面に、穴を開ける必要があることから、操作上非常に面倒であり、ドリルなどの切削工具を利用する必要があるので、狭い現場では操作が困難であった。
【課題を解決するための手段】
【０００７】
本考案に係るネジ用エキストラクターは、柱状を呈するネジロッドと、該ネジロッドの外周面に形成されるネジ山と、該ネジロッドの一端に形成される少なくとも１つの爪刃と、該ネジロッドの他端に形成される駆動部とを有する。
【０００８】
かかるネジ用エキストラクターにおいて、前記ネジロッドに、３つの爪刃が等間隔で環状に配列されることが好ましい。
【０００９】
かかるネジ用エキストラクターにおいて、前記駆動部が非円形の凹部であることが好ましい。
【００１０】
かかるネジ用エキストラクターにおいて、前記駆動部が六角形の凹部であることが好ましい。
【００１１】
かかるネジ用エキストラクターにおいて、前記駆動部に対応する、駆動頭部及び連結部を備える連接棒を有することが好ましい。
【考案の効果】
【００１２】
本考案に係るネジ用エキストラクターには、以下のメリットを有する。
１.本考案に係るネジ用エキストラクターは、ネジロッドの一端に直に爪刃が設けられることから、構造がシンプルであるので、生産コストを減らし、コストダウンの効果を有する。
２.本考案に係るネジ用エキストラクターは、ネジ山を介してネジ穴に捻じ込んだ後、爪刃をボルトの折れた端面に食い込ませるように捻じ込むことから、一回の操作でボルトをネジ穴から取り出すことができるので、操作上非常に簡単かつ便利である。
３.本考案に係るネジ用エキストラクターは、必要に応じて、連接棒や、ドライバ、六角レンチ、ラチェットレンチに組み合せて利用できることから、ボルトが深い所で折れても、適当な工具を選択すれば、折れたボルトを簡単に取り出すことができるので、利便性及び実用性が高い。
【図面の簡単な説明】
【００１３】
【図１】本考案に係るネジ用エキストラクターの斜視図である。
【図２】本考案に係るネジ用エキストラクターの使用状態の説明図である。
【図３】本考案に係るネジ用エキストラクターを折れたボルトの端面に当接した状態を示す部分拡大説明図である。
【図４】本考案に係るネジ用エキストラクターの爪刃を、折れたボルトの端面に食い込ませるように挿し込んだ状態を示す部分拡大説明図である。
【図５】本考案に係るネジ用エキストラクターで折れたボルトを回転させて穴から取り出す状態を示す部分拡大説明図である。
【図６】サイズの異なる複数の取り出し装置と、連接棒と、レンチをセットとして包装された商品を示す説明図である。
【図７】既存の折れたボルトの取り出し装置を用いてボルトを取り出す操作を示す連続動作説明図である。
【考案を実施するための形態】
【００１４】
図１及び図２に示すように、本考案に係るネジ用エキストラクターの実施例の取り出し装置１０は、円柱状のブロックであるネジロッド１１を備え、該ネジロッド１１の外周面にネジ山１２が形成され、該ネジロッド１１の一端に少なくとも１つの爪刃１３が形成され、該ネジロッド１１の他端に駆動部１４が形成される。
【００１５】
本考案における爪刃１３の数量及び形状には制限がなく、爪刃１３を折れたボルト６０の端面に差し込むように食い込ませればよい。また、本考案における駆動部１４のタイプにも制限はなく、つまり、該駆動部１４は、六角形の凹部や、四角形の凹部、トルクス形の凹部であってもよく、六角柱または四角形を呈していてもよく、手工具に組み合せて利用することができれば如何なる形状でもよい。尚、図１及び図２に示した実施例においては、そのネジロッド１１に３つの爪刃１３が等間隔で環状に配列され、その駆動部１４は、六角レンチまたはドライブの頭部を挿し入れる凹部である。
【００１６】
本考案は、深いねじ穴５１を有する物５０に対応するために、連接棒２０を有してもよく、該連接棒２０は、一端に駆動部１４に対応する駆動頭部２１が設けられ、他端に手工具に組み合せるための連結部２２が設けられる。尚、本考案における連結部２２のタイプに制限はないことから、六角形の凹部や、四角形の凹部、トルクス形の凹部などの非円形の凹部であってもよく、六角柱または四角形を呈するものであってもよく、ドライバや、六角レンチ、ラチェットレンチなどの手工具に組み合せて利用することができれば如何なる形状でもよい。また、図１及び図２に示した実施例においては、連接棒２０の連結部２２が六角柱である。
【００１７】
図２に示すように、折れたボルト６０が物５０のねじ穴５１に残った場合、連接棒２０及び手工具を用いて、取り出し装置１０のネジ山１２を回して物５０のねじ穴５１に捻じ込ませ、取り出し装置１０の爪刃１３を、折れたボルト６０の端面に当接しながら回転させると、図３及び図４に示すように、取り出し装置１０の爪刃１３が折れたボルト６０に差し込まれることから、折れたボルト６０も回転する。そして、取り出し装置１０をさらに回転させると、図５に示すように、折れたボルト６０を物５０のねじ穴５１から取り出すことができるので、操作上非常に簡単であり、実用性に優れる。
【００１８】
図６に示したのは、サイズの異なる複数の取り出し装置１０と、連接棒２０と、レンチ３０をセットとした商品である。また、この商品は、図６に示すように、販売時、高い利便性を備える包装形態を提供することが好ましい。
【符号の説明】
【００１９】
１０ 取り出し装置
１１ ネジロッド
１２ ネジ山
１３ 爪刃
１４ 駆動部
２０ 連接棒
２１ 駆動頭部
２２ 連結部
３０ レンチ
５０ 物
５１ ねじ穴
６０ ボルト
【図１】
0003214658.tif 000003
【図２】
0003214658.tif 000004
【図３】
0003214658.tif 000005
【図４】
0003214658.tif 000006
【図５】
0003214658.tif 000007
【図６】
0003214658.tif 000008
【図７】
0003214658.tif 000009